【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
マルチレイヤビデオデータを復号する方法であって、
マルチレイヤビデオデータを受信することと、前記マルチレイヤビデオデータは、複数のアクセスユニットを備え、各アクセスユニットは、共通の時間的インスタンスにおいてそれぞれの１つまたは複数のレイヤのための１つまたは複数の符号化されたピクチャを備え、前記マルチレイヤビデオデータの少なくとも１つのアクセスユニットは、第１のレイヤに少なくとも第１の符号化されたピクチャを備え、前記第１のレイヤとは異なる第２のレイヤに第２の符号化されたピクチャを備え、
マルチレイヤビデオデータの第１の受信レイヤのピクチャが、前記第１のレイヤにおける前記ピクチャのためのピクチャ順序カウント（ＰＯＣ）値リセットが実行されるＰＯＣリセットピクチャであることを示すデータを復号することと、
前記第１のレイヤにおける前記ピクチャがＰＯＣリセットピクチャであることを示す前記復号されたデータに基づいて、前記第１のレイヤにおける前記ピクチャのための前記ＰＯＣ値リセットを実行するより前に、前記アクセスユニットに属さず、出力のために必要とされるとマークされている、復号ピクチャバッファ（ＤＰＢ）内に記憶されたすべてのレイヤのすべてのピクチャを出力することと、
を備える、方法。
【請求項２】
ビデオデータを符号化する方法であって、
マルチレイヤビデオデータを受信することと、前記マルチレイヤビデオデータは、複数のアクセスユニットを備え、各アクセスユニットは、共通の時間的インスタンスにおいてそれぞれの１つまたは複数のレイヤのための１つまたは複数の符号化されたピクチャを備え、前記マルチレイヤビデオデータの少なくとも１つのアクセスユニットは、第１のレイヤに少なくとも第１の符号化されたピクチャを備え、前記第１のレイヤとは異なる第２のレイヤに第２の符号化されたピクチャを備え、
ビデオエンコーダが、マルチレイヤビデオデータの第１の受信レイヤのピクチャが、前記第１のレイヤにおける前記ピクチャのためのピクチャ順序カウント（ＰＯＣ）値リセットが実行されるＰＯＣリセットピクチャであることを示すデータを符号化することと、
前記第１のレイヤにおける前記ピクチャがＰＯＣリセットピクチャであることを示す前記符号化されたデータに基づいて、前記第１のレイヤにおける前記ピクチャのための前記ＰＯＣ値リセットを実行するより前に、前記アクセスユニットに属さず、出力のために必要とされるとマークされている、復号ピクチャバッファ（ＤＰＢ）内に記憶されたすべてのレイヤのすべてのピクチャを出力することと、
を備える、方法。
【請求項３】
すべてのピクチャを出力することが、前記ピクチャのビデオデータの初期のスライスのスライスヘッダをそれぞれ復号または符号化した後、および前記スライスのペイロードを復号するより前に、すべてのピクチャを出力することを備える、請求項１または２に記載の方法。
【請求項４】
前記ピクチャがＰＯＣリセットピクチャであることを示す前記データをそれぞれ復号または符号化することが、ビデオデータの前記ピクチャのスライスのためのＰＯＣリセットインデックスを表すデータをそれぞれ復号または符号化することを備える、請求項１または２に記載の方法。
【請求項５】
前記ピクチャがＰＯＣリセットピクチャであることを示す前記データをそれぞれ復号または符号化することが、前記ピクチャを包含する前記アクセスユニットから開始するＰＯＣリセット期間を示すデータをそれぞれ復号または符号化することを備える、請求項１または２に記載の方法。
【請求項６】
前記ＤＰＢのすべてのピクチャを出力した後、前記アクセスユニットの前記ピクチャおよび任意の他のピクチャのためのＰＯＣ値リセットを実行することをさらに備える、請求項１または２に記載の方法。
【請求項７】
前記ＤＰＢのすべてのピクチャを出力した後、前記アクセスユニットの各ピクチャを復号するための参照ピクチャリストを構築することをさらに備える、請求項１または２に記載の方法。
【請求項８】
前記ＤＰＢのすべてのピクチャを出力することが、前記ピクチャのＰＯＣ値の昇順で、前記ＤＰＢのピクチャを出力することと、最小のＰＯＣ値を有する前記ＤＰＢのピクチャから開始することと、レイヤｉｄの昇順で、同じＰＯＣ値を有するピクチャを出力することと、を備える、請求項１または２に記載の方法。
【請求項９】
ビデオデータを復号するためのデバイスであって、
マルチレイヤビデオデータを受信するための手段と、前記マルチレイヤビデオデータは、複数のアクセスユニットを備え、各アクセスユニットは、共通の時間的インスタンスにおいてそれぞれの１つまたは複数のレイヤのための１つまたは複数の符号化されたピクチャを備え、前記マルチレイヤビデオデータの少なくとも１つのアクセスユニットは、第１のレイヤに少なくとも第１の符号化されたピクチャを備え、前記第１のレイヤとは異なる第２のレイヤに第２の符号化されたピクチャを備え、
マルチレイヤビデオデータの第１の受信レイヤのピクチャが、前記第１のレイヤにおける前記ピクチャのためのピクチャ順序カウント（ＰＯＣ）値リセットが実行されるＰＯＣリセットピクチャであることを示すデータを復号するための手段と、
前記第１のレイヤにおける前記ピクチャがＰＯＣリセットピクチャであることを示す前記復号されたデータに基づいて、前記第１のレイヤにおける前記ピクチャのための前記ＰＯＣ値リセットを実行するより前に、前記アクセスユニットに属さず、出力のために必要とされるとマークされている、復号ピクチャバッファ（ＤＰＢ）内に記憶されたすべてのレイヤのすべてのピクチャを出力するための手段と、
を備える、デバイス。
【請求項１０】
ビデオデータを符号化するためのデバイスであって、
マルチレイヤビデオデータを受信するための手段と、前記マルチレイヤビデオデータは、複数のアクセスユニットを備え、各アクセスユニットは、共通の時間的インスタンスにおいてそれぞれの１つまたは複数のレイヤのための１つまたは複数のピクチャを備え、前記マルチレイヤビデオデータの少なくとも１つのアクセスユニットは、第１のレイヤに少なくとも第１のピクチャを備え、前記第１のレイヤとは異なる第２のレイヤに第２のピクチャを備え、
マルチレイヤビデオデータの第１の受信レイヤのピクチャが、前記第１のレイヤにおける前記ピクチャのためのピクチャ順序カウント（ＰＯＣ）値リセットが実行されるＰＯＣリセットピクチャであることを示すデータを符号化するための手段と、
前記第１のレイヤにおける前記ピクチャがＰＯＣリセットピクチャであることを示す前記符号化されたデータに基づいて、前記第１のレイヤにおける前記ピクチャのための前記ＰＯＣ値リセットを実行するより前に、前記アクセスユニットに属さず、出力のために必要とされるとマークされている、復号ピクチャバッファ（ＤＰＢ）内に記憶されたすべてのレイヤのすべてのピクチャを出力するための手段と、
を備える、デバイス。
【請求項１１】
すべてのピクチャを出力するための前記手段が、前記ピクチャのビデオデータの初期のスライスのスライスヘッダを復号した後、および前記スライスのペイロードを復号するより前に、すべてのピクチャを出力するための手段を備える、請求項９に記載のデバイス。
【請求項１２】
前記ピクチャがＰＯＣリセットピクチャであることを示す前記データを復号するための前記手段が、ビデオデータの前記ピクチャのスライスのためのＰＯＣリセットインデックスを表すデータをコーディングするための手段を備える、請求項９に記載のデバイス。
【請求項１３】
前記ＤＰＢのすべてのピクチャを出力することが、前記ピクチャのＰＯＣ値の昇順で、前記ＤＰＢのピクチャを出力することと、最小のＰＯＣ値を有する前記ＤＰＢのピクチャから開始することと、レイヤｉｄの昇順で、同じＰＯＣ値を有するピクチャを出力するための手段と、を備える、請求項９に記載のデバイス。
【請求項１４】
命令を記憶した非一時的コンピュータ可読記憶媒体であって、前記命令が実行されると、ビデオデータを復号するためのデバイスのプロセッサに、請求項１または３〜８のいずれか一項に記載の方法を実行させる、非一時的コンピュータ可読記憶媒体。
【請求項１５】
命令を記憶した非一時的コンピュータ可読記憶媒体であって、前記命令が実行されると、ビデオデータを符号化するためのデバイスのプロセッサに、請求項２〜８のいずれか一項に記載の方法を実行させる、非一時的コンピュータ可読記憶媒体。